(57)【要約】【課題】現用系・予備系の切替実施に先立って、シームレスな切替の可否を検出する放送信号送信装置を提供する。【解決手段】ＡＲＩＢ規格準拠のＭＭＴ・ＴＬＶ方式を適用し、かつ、第１系統１００および第２系統２００の２つの放送系統のうちいずれか一方を現用系として使用する放送信号送信装置１において、第１デコード部１０４、第２デコード部２０４は、自系の放送系統にて符号化放送信号が多重化された各ＭＭＴＰパケットを解析し、自系にＭＭＴＰパケットが存在しない状態になる開始タイミングと終了タイミングとを自系の無信号区間の情報として取得し、かつ、取得した自系の無信号区間の情報を交換し合うことにより、第１系統１００および第２系統２００のいずれにもＭＭＴＰパケットが存在していないＧＡＰ区間を算出し、その長さが、あらかじめ定めた時間閾値未満であった場合には、シームレスな切替動作が不可能である旨のデコード結果を出力する。【選択図】図１
2020198544.tif 000002
【特許請求の範囲】
【請求項１】
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化手段と、
前記第１ＭＭＴ多重化手段から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコード手段と、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化手段と、
前記第２ＭＭＴ多重化手段から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコード手段と、
を有する、
ことを特徴とする放送信号送信装置。
【請求項２】
前記第１デコード手段および前記第２デコード手段それぞれは、
取得した自系の放送系統の前記無信号区間の情報を、互いに、交換し合い、自系の放送系統の前記無信号区間の情報と、交換し合った相手側の放送系統における前記無信号区間の情報とに基づいて、前記第１系統および前記第２系統のいずれにも、前記ＭＭＴＰパケットが存在していない状態になるＧＡＰ区間（隙間区間）が確保されているか否かを判定する、
ことを特徴とする請求項１に記載の放送信号送信装置。
【請求項３】
前記第１デコード手段および前記第２デコード手段それぞれは、
前期ＧＡＰ区間が、確保されていないか、あるいは、確保されていても、あらかじめ定めた時間閾値未満の時間長であった場合には、現用系・予備系のシームレスな切替動作が不可能である旨のデコード結果を出力する、
ことを特徴とする請求項１または２に記載の放送信号送信装置。
【請求項４】
前記第１デコード手段は、
前記第１ＭＭＴ多重化手段から出力されてくる各前記ＭＭＴＰパケットを解析して、前記ＭＭＴＰパケットの異常状態を検出した際に、現用系・予備系のシームレスな切替動作が不可能である旨のデコード結果を出力し、
また、前記第２デコード手段は、
前記第１ＭＭＴ多重化手段から出力されてくる各前記ＭＭＴＰパケットを解析して、前記ＭＭＴＰパケットの異常状態を検出した際に、現用系・予備系のシームレスな切替動作が不可能である旨のデコード結果を出力する、
ことを特徴とする請求項１ないし３のいずれかに記載の放送信号送信装置。
【請求項５】
前記第１デコード手段および前記第２デコード手段それぞれは、
現用系・予備系のシームレスな切替動作が不可能である旨のデコード結果を出力する際に、該シームレスな切替動作が不可能になる要因に関する被疑範囲を示す情報を各前記ＭＭＴＰパケットの解析結果に基づいて取得して出力する、
ことを特徴とする請求項１ないし４のいずれかに記載の放送信号送信装置。
【請求項６】
前記第１デコード手段、前記第２デコード手段のいずれかが現用系・予備系のシームレスな切替動作が不可能である旨のデコード結果を出力した際に、
あらかじめ設定登録されているルールに従って、現用系・予備系の切替動作をキャンセルするか、あるいは、シームレスな切替が不可能であっても強制的に現用系・予備系の切替動作を実行するか、あるいは、自放送信号送信装置の運用者に対して現用系・予備系の切替動作の実施に関する指示を求める情報を出力するか、のいずれかを選択する、
ことを特徴とする請求項１ないし５のいずれかに記載の放送信号送信装置。
【請求項７】
現用系・予備系の切替動作の実施に関する指示を求める情報を、自放送信号送信装置の運用者に対して出力した場合、
該運用者からの指示に従って、現用系・予備系の切替動作をキャンセルするか、あるいは、強制的に現用系・予備系の切替動作を実行する、
ことを特徴とする請求項６に記載の放送信号送信装置。
【請求項８】
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、現用系と予備系とのシームレスな切替が可能であるか否かを検出する放送系統シームレス切替可否検出方法であって、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化ステップと、
前記第１ＭＭＴ多重化ステップから出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコードステップと、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化ステップと、
前記第２ＭＭＴ多重化ステップから出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコードステップと、
を有する、
ことを特徴とする放送系統シームレス切替可否検出方法。
【請求項９】
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、現用系と予備系とのシームレスな切替が可能であるか否かをコンピュータによって検出する放送系統シームレス切替可否検出プログラムであって、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化機能と、
前記第１ＭＭＴ多重化機能から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコード機能と、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化機能と、
前記第２ＭＭＴ多重化機能から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコード機能と、
を有する、
ことを特徴とする放送系統シームレス切替可否検出プログラム。
【発明の詳細な説明】
【技術分野】
【０００１】
本発明は、放送信号送信装置、放送系統シームレス切替可否検出方法および放送系統シームレス切替可否検出プログラムに関し、特に、４Ｋ／８Ｋ放送システムにおいて、冗長構成からなる放送系統の現用系・予備系をシームレスに切り替える際の切替可否を事前に検出する機能を備えた放送信号送信装置、放送系統シームレス切替可否検出方法および放送系統シームレス切替可否検出プログラムに関する。
【背景技術】
【０００２】
現在、高精細デジタル放送として、２Ｋ（１９２０×１０８０画素＝約２００万画素）のフルＨＤ（High  Definition：ハイビジョン）放送が実用化されている。そして、次世代放送技術として、更なる高精細化を図り、臨場感がある映像を提供するために、現行の２Ｋ放送を超える超高精細の４Ｋ放送（３８４０×２１６０画素＝約８００万画素）や８Ｋ放送（７６８０×４３２０画素＝約３３００万画素）の実用化に向けた開発が鋭意実施されていて、一部の事業者において試験放送や商用放送を開始する状況になってきている。
【０００３】
このような高精細デジタル放送用の放送信号送信装置は、高い信頼性を確保するために、一般に、２系統以上の放送系統を有する冗長構成が採用される。そして、使用中の状態にある現用系の放送系統に不具合が発生した際や現用系の放送系統の保守作業を行う際には、待機中の状態にある予備系の放送系統に切り替えるように制御する。
【０００４】
なお、放送系統を切り替える際には、放送中の映像信号や音声信号の瞬断が発生しないように、シームレスな切替が必要になる。現行の２Ｋ放送においては、映像信号や音声信号の放送信号列に適当な間隔で「ＧＡＰ区間」と称する放送信号が存在していない隙間区間（無効信号区間）を挿入し、該ＧＡＰ区間（隙間区間）を利用して、現用系と予備系とのシームレスな切替を行う方法が採用されている。該ＧＡＰ区間（隙間区間）としては、通常、例えば、１８８バイトまたは２０４バイトの固定長のＴＳ（Transport  Stream）パケットが用いられる。
【０００５】
これに対して、４Ｋ放送や８Ｋ放送の場合は、放送・通信の連携サービスに対応するために、ＡＲＩＢ（Association  of  Radio  Industries  and  Business：電波産業会）の標準規格として規定されているＭＭＴ（ＭＰＥＧ（Moving  Picture  Experts  Group）  Media  Transport）・ＴＬＶ（Type  Length  Value）方式にも対応することが要求されている。ＭＭＴ・ＴＬＶ方式においては、ＩＰ（Internet  Protocol）をベースにしてハイブリッド配信が可能な方式を採用しており、映像信号や音声信号等（放送番組情報や字幕情報も含む）の放送信号は、可変長のＭＭＴＰ（ＭＭＴ  Protocol）パケットに格納された後、さらに、該ＭＭＴＰパケットをＩＰペイロードに収容して、ＩＰヘッダを付加したＩＰパケットとして伝送される。そして、放送伝送路上においては、高度衛星デジタル放送方式に採用されているＴＬＶパケットの形式で該ＩＰパケットを伝送し、通信回線上においてはＩＰパケットのまま伝送する。
【０００６】
なお、現用系・予備系の切替動作を実施しようとする際に、通常、一群のＭＭＴＰパケット（ＩＰパケット）の最後と次の一群のＭＭＴＰパケットの先頭との間にあらかじめ定めた時間間隔を置いて出力するように制御し、一群のＭＭＴＰパケットの最後と次の一群のＭＭＴＰパケットの先頭とのそれぞれのヘッダ部には、ＭＭＴＰパケットが存在しない無信号区間の開始・終了を示すＥＮＤ／ＳＴＡＲＴフラグが設定される。
【０００７】
また、可変長のＴＬＶパケットを伝送するＴＬＶ多重化方式は、固定長のＴＬＶスロットを単位にして伝送する。そして、各ＴＬＶスロットには、１ないし複数のＴＬＶパケットを連結した主信号と、一群のＴＬＶパケットが当該ＴＬＶスロットで完結しているか否かまた一群のＴＬＶパケットが当該ＴＬＶスロットから開始されたか否かを示すＥＮＤ／ＳＴＡＲＴフラグを少なくとも含むＴＭＣＣ（Transmission  and  Multiplexing  Configuration  and  Control）情報と、誤り訂正符号やスタッフビットからなるＮｕｌｌ（ヌル）データと、が含まれた構成とされている。なお、ＴＭＣＣ情報に含まれるＥＮＤ／ＳＴＡＲＴフラグに関しては、ＭＭＴＰパケットの場合と同様、現用系・予備系の切替動作を実施しようとする際に、一群のＴＬＶパケット（ＩＰパケット）の最後と次の一群のＴＬＶパケットの先頭との間にあらかじめ定めた時間間隔を置いて出力するように制御し、一群のＴＬＶパケットの最後と次の一群のＴＬＶパケットの先頭とのそれぞれのＴＭＣＣ情報にＥＮＤ／ＳＴＡＲＴフラグが設定される。
【０００８】
そこで、例えば、特許文献１の特開２０１７−１１８３３１号公報「信号構成装置、信号構成システム、信号構成方法および信号構成用プログラム」等においては、４Ｋ放送や８Ｋ放送の放送システムの場合、ＴＬＶパケットに含まれるＴＭＣＣ情報を利用して、現用系と予備系とのシームレスな切替を行う方法が提案されている。
【先行技術文献】
【特許文献】
【０００９】
【特許文献１】特開２０１７−１１８３３１号公報
【発明の概要】
【発明が解決しようとする課題】
【００１０】
しかしながら、前記特許文献１等に記載されているような本発明に関連する現状の技術においては、以下のような問題があり、ＭＭＴ・ＴＬＶ方式を適用して４Ｋ放送や８Ｋ放送等の超高精細デジタル放送を行う放送信号送信装置において、シームレスな切替を実行することが可能か否かを確実に判定することはできない。
【００１１】
一般に、放送信号送信装置が何らの不具合もなく正常に動作している状態においては、現状の技術のように、ＴＭＣＣ情報を利用することにより、基本的には、シームレスな切替に失敗することを防止することができる。しかし、実際には、放送信号送信装置内の様々な機能部が切替処理に関わっており、現用系と予備系との切替を実施する際に、各機能部の不具合等や制御ミス等により、映像信号や音声信号に瞬断が発生してしまう事態が生じてしまう。
【００１２】
さらに、具体的な事例として後述するように、現用系と予備系との切替の実行に先立って、事前に、シームレスな切替が可能な状態にあるか否かを判定することは困難であり、かつ、シームレスな切替の失敗には種々の要因が関連しているため、放送信号の瞬断の発生原因を特定することも困難である。特に、現状の技術においては、シームレスな切替に失敗した際のＭＭＴレイヤの情報を解析するための手がかりが得られないため、ＭＭＴレイヤ情報の解析に多くの時間を要することを避けることができない。
【００１３】
次に、切替の実行に先立ってシームレスな切替が可能であるか否かを事前に判定することが困難であり、かつ、シームレスな切替の失敗の発生原因を特定することが困難になる要因について、図３のブロック構成図を参照しながら説明する。図３は、現状の技術における放送信号送信装置の内部構成の一例を示すブロック構成図である。図３に示す放送信号送信装置１Ａは、ＭＭＴ・ＴＬＶ方式を適用して放送信号を送信する装置構成を示しており、第１系統１００Ａと第２系統２００Ａとの２つの放送系統と、制御部３００Ａと基準ＧＯＰ（Group  Of  Pictures）発生部４００と、第１切替部５０１、第２切替部５０２と、フレーム同期信号発生部６００と、を含んで構成されている。第１系統１００Ａと第２系統２００Ａとの２つの放送系統のうち、いずれか１方が現用系の放送系統として使用され、他方が予備系として待機状態になる。
【００１４】
そして、第１系統１００Ａは、第１エンコード部１０１、第１ＭＭＴ多重化部１０２、第１ＴＬＶ多重化部１０３を少なくとも含んで構成され、第２系統２００Ａは、第２エンコード部２０１、第２ＭＭＴ多重化部２０２、第２ＴＬＶ多重化部２０３を少なくとも含んで構成される。なお、第１系統１００Ａ、第２系統２００Ａのそれぞれには、２Ｋ放送用等の低階層エンコード部、ＳＩ（Service  Information）送出装置、字幕送出装置等が含まれることもある。
【００１５】
第１エンコード部１０１、第２エンコード部２０１それぞれは、いずれも、例えば、ＨＥＶＣ（High  Efficiency  Video  Coding）方式に基づいて、放送信号（映像信号や音声信号）を符号化する。また、第１ＭＭＴ多重化部１０２、第２ＭＭＴ多重化部２０２それぞれは、いずれも、第１エンコード部１０１、第２エンコード部２０１それぞれから符号化されて出力された符号化放送信号（映像信号や音声信号）を、ＭＭＴ（ＭＰＥＧ  Media  Transport）多重化処理を実施し、ＩＰパケットとして，多重化されたＭＭＴＰパケットを生成して出力する。
【００１６】
また、第１ＴＬＶ多重化部１０３、第２ＴＬＶ多重化部２０３それぞれは、いずれも、第１ＭＭＴ多重化部１０２、第２ＭＭＴ多重化部２０２それぞれにおいて多重化されたＭＭＴＰパケットをＴＬＶパケットの形式に編集して、固定長のＴＬＶスロットに乗せて第１切替部５０１、第２切替部５０２に対して出力する。
【００１７】
第１切替部５０１、第２切替部５０２は、切替部として冗長構成を採用していて、いずれも、第１系統１００Ａと第２系統２００Ａとの２つの放送系統のうち現用系の放送系統からの放送信号（ＴＬＶパケット）を選択して例えばアップリンク局等に出力する。
【００１８】
制御部３００Ａは、第１系統１００Ａ、第２系統２００Ａの２つの放送系統に対して現用系・予備系の切替を制御する機能を有しており、現用系・予備系の切替を実行する際に、第１エンコード部１０１、第２エンコード部２０１、第１ＴＬＶ多重化部１０３、第２ＴＬＶ多重化部２０３、第１切替部５０１、第２切替部５０２のそれぞれに対して切替制御信号を出力する。
【００１９】
基準ＧＯＰ発生部４００は、入力されてくるＢＢ（Black  Burst）信号・ＮＴＰ（Network  Time  Protocol）信号を基準クロック信号として、ＧＯＰ同期信号・ＮＴＰ同機信号を作成して、第１系統１００Ａ、第２系統２００Ａそれぞれの各機能部に対して出力する。
【００２０】
フレーム同期信号発生部６００は、基準クロック信号に同期したフレーム同期信号を生成して、第１ＴＬＶ多重化部１０３、第２ＴＬＶ多重化部２０３、第１切替部５０１、第２切替部５０２のそれぞれに対して出力する。
【００２１】
現状の技術における放送信号送信装置１Ａは、放送系統として図３に示すような冗長構成を採用することにより、第１系統１００Ａと第２系統２００Ａとの２つの放送系統の間で現用系と予備系とのシームレスな切替を実現しようとしている。しかし、放送信号送信装置１Ａの各機能部の不具合が発生したり、あるいは、制御ミスが発生したりした場合には、以下のような理由から、シームレスな切替に失敗する可能性がある。
【００２２】
まず、図３の第１系統１００Ａと第２系統２００Ａとの２つの放送系統は、それぞれに流れている信号の状態を互いに把握することができない独立した系構成となっていて、それぞれの放送系統の各機能部はカスケードに後段の機能部に対して放送信号を順次出力していき、第１切替部５０１または第２切替部５０２に入力された時点で初めて相手側の放送系統の信号状態を認識することになる。つまり、図３のブロック構成において、シームレス切替の失敗要因の検出機能を実装する場合には、第１切替部５０１および第２切替部５０２にしか実装することができない。
【００２３】
しかし、第１切替部５０１および第２切替部５０２には、第１ＴＬＶ多重化部１０３、第２ＴＬＶ多重化部２０３によりＴＬＶ化されたＴＬＶパケットとして放送信号が入力されてくるので、第１切替部５０１および第２切替部５０２は、その中身のＭＭＴＰ（ＭＭＴ  Protocol）パケットすなわちＭＭＴレイヤの情報がどのような状態であるかを知ることができない。
【００２４】
言い換えると、第１切替部５０１および第２切替部５０２において、シームレス切替に失敗するか否かを判定することができる有効な情報としては、ＴＬＶパケットに主信号のＭＭＴＰパケットとともに格納されているＴＭＣＣ情報に含まれているＥＮＤ／ＳＴＡＲＴフラグの情報のみである。ここで、ＴＭＣＣ情報に含まれているＳＴＡＲＴフラグとは、ＭＭＴＰパケットを含むＴＬＶパケットが存在していない状態のＴＬＶスロットが完了し、当該ＴＬＶスロットからＭＭＴＰパケットを含むＴＬＶパケットが伝送されることを意味している。また、ＴＭＣＣ情報に含まれているＥＮＤフラグとは、ＭＭＴＰパケットを含むＴＬＶパケットが存在するＴＬＶスロットが完了し、当該ＴＬＶスロットの次のＴＬＶスロットからＭＭＴＰパケットを含まないＴＬＶパケットが伝送されることを意味している。
【００２５】
したがって、第１切替部５０１、第２切替部５０２の切替部や制御部３００Ａは、現用系・予備系の切替動作に先立って、シームレスな切替が不可能になるような不具合が、ＴＬＶパケットに主信号として含まれているＭＭＴＰパケットの情報に存在しているか否かを、事前に確認することはできない。また、ＴＬＶパケットに主信号として含まれているＭＭＴＰパケットの情報に起因して（すなわち、ＭＭＴレイヤの情報に原因があって）、シームレスな切替動作に失敗したとしても、シームレスな切替動作の失敗原因を、第１切替部５０１、第２切替部５０２の切替部では特定することもできない。
【００２６】
（シームレス切替失敗に関する具体的な事例）
次に、放送信号送信装置１Ａに何らかの不具合が発生して、ＭＭＴレイヤの情報に起因するシームレス切替失敗が発生する具体的な事例についていくつか例示する。まず、図４のタイムチャートを用いて、放送信号送信装置１Ａに不具合がなく、現用系・予備系のシームレスな切替動作を正常に実施することが可能な状態にある場合について説明する。
【００２７】
図４は、図３に示す放送信号送信装置１Ａにおける放送信号の出力タイミングを示すタイムチャートである。図４において、図４（Ａ）は、第１系統１００Ａの第１ＭＭＴ多重化部１０２と第２系統２００Ａの第２ＭＭＴ多重化部２０２とのそれぞれが出力するＭＭＴＰパケットの様子を示し、図４（Ｂ）は、第１系統１００Ａの第１ＴＬＶ多重化部１０３と第２系統２００Ａの第２ＴＬＶ多重化部２０３とのそれぞれが出力するＴＬＶパケットの様子を示している。
【００２８】
すなわち、図４（Ａ）に示す出力例においては、第１ＭＭＴ多重化部１０２から出力されるＭＭＴＰパケットよりも遅延時間ｔ０だけ遅れたタイミングで第２ＭＭＴ多重化部２０２からＭＭＴＰパケットが出力されている場合を示している。
【００２９】
また、現用系・予備系の切替が必要な状況が発生した場合には、第１ＭＭＴ多重化部１０２、第２ＭＭＴ多重化部２０２それぞれからは、あらかじめ定めた群単位ごとに、次の群のＭＭＴＰパケットを送信するまでの間に信号（ＭＭＴＰパケット）が存在しない無信号区間ｔ１を置いて出力するように制御する。図４（Ａ）の出力例においては、或る群のＭＭＴＰパケットに関して、無信号区間ｔ１の挿入を開始させる最後のＭＭＴＰパケットであることを示す第１系統１００ＡのＥＮＤフラグ付きのＭＭＴＰパケット１２、第２系統２００ＡのＥＮＤフラグ付きのＭＭＴＰパケット２２から、それぞれ、ＭＭＴＰパケットの出力停止区間である無信号区間ｔ１を置いて、無信号区間ｔ１を終了させる次の群の先頭のＭＭＴＰパケットであることを示す第１系統１００ＡのＳＴＡＲＴフラグ付きのＭＭＴＰパケット１１、第２系統２００ＡのＳＴＡＲＴフラグ付きのＭＭＴＰパケット２１を出力するように制御している。
【００３０】
なお、ＭＭＴＰパケットに付加されるＳＴＡＲＴフラグ、ＥＮＤフラグは、ＭＭＴＰパケットのヘッダ（ＭＭＴＰヘッダまたはＩＰヘッダ）内に設定され、該ＭＭＴＰパケットのヘッダの出力タイミングは、基準ＧＯＰ発生部４００から出力される同期信号（ＧＯＰ同期信号・ＮＴＰ同期信号）に同期して出力される。ここで、無信号区間ｔ１は、あらかじめ定めた時間長である。
【００３１】
また、図４（Ｂ）に示すように、第１系統１００Ａの第１ＴＬＶ多重化部１０３と第２系統２００Ａの第２ＴＬＶ多重化部２０３とのそれぞれが出力するＴＬＶパケットは、それぞれ、図４（Ａ）に示す第１系統１００Ａの第１エンコード部１０１と第２系統２００Ａの第２エンコード部２０１とのそれぞれが出力するＭＭＴＰパケットに対応して、ＥＮＤ／ＳＴＡＲＴフラグを設定したＴＭＣＣ情報を付加した形で出力される。
【００３２】
すなわち、図４（Ｂ）に示すように、第１系統１００Ａの第１ＴＬＶ多重化部１０３においては、図４（Ａ）に示した第１エンコード部１０１から出力されたＭＭＴＰパケットに応じて、或る群のＴＬＶパケットに関して、無信号区間ｔ１の挿入を開始させる最後のＭＭＴＰパケットを含むＴＬＶパケットであることを示すＥＮＤフラグ付きのＴＭＣＣ情報を有するＴＬＶパケット１４から、ＭＭＴＰパケットを含むＴＬＶパケットの出力停止区間である無信号区間ｔ１を置いて、該無信号区間ｔ１を終了させる次の群の先頭のＭＭＴＰパケットを含むＴＬＶパケットであることを示すＳＴＡＲＴフラグ付きのＴＭＣＣ情報を有するＴＬＶパケット１３を出力する。
【００３３】
同様に、第２系統２００Ａの第２ＴＬＶ多重化部２０３においても、図４（Ａ）に示した第２エンコード部２０１から出力されたＭＭＴＰパケットに応じて、或る群のＴＬＶパケットに関して、最後のＭＭＴＰパケットを含むＴＬＶパケットであることを示すＥＮＤフラグ付きのＴＭＣＣ情報を有するＴＬＶパケット２４から、無信号区間ｔ１を置いて、次の群の先頭のＭＭＴＰパケットを含むＴＬＶパケットであることを示すＳＴＡＲＴフラグ付きのＴＭＣＣ情報を有するＴＬＶパケット２３を出力する。
【００３４】
なお、ＴＬＶパケットのＴＭＣＣ情報に付加されるＳＴＡＲＴフラグ、ＥＮＤフラグは、前述したように、当該ＴＬＶパケットに含まれるＭＭＴＰパケットのヘッダ（ＭＭＴＰヘッダまたはＩＰヘッダ）内に設定されているＳＴＡＲＴフラグ、ＥＮＤフラグと同じタイミングになるように設定される。なお、該ＴＬＶパケットのＴＭＣＣ情報の出力タイミングについても、基準ＧＯＰ発生部４００から出力される同期信号（ＧＯＰ同期信号・ＮＴＰ同期信号）に同期して出力される。また、ＴＬＶパケットは、ＴＭＣＣ情報以外に、通常、誤り訂正符号やスタッフビットからなるヌルデータもさらに付加しているが、説明を簡素化するために、図４には記載していない。
【００３５】
ここで、第１系統１００Ａと第２系統２００Ａとの間の現用系・予備系のシームレス切替は、第１切替部５０１または第２切替部５０２において、第１系統１００Ａと第２系統２００Ａとのいずれにも信号（ＴＬＶパケット）が存在していないＧＡＰ区間（隙間区間）において実施することが必要である。該ＧＡＰ区間（隙間区間）に関し、第２系統２００Ａよりも遅延時間ｔ０だけ遅れたタイミングで第１系統１００ＡからＴＬＶパケットを出力する図４（Ｂ）に示す出力例においては、第１ＭＭＴ多重化部１０２、第２ＭＭＴ多重化部２０２それぞれが自系の放送系統において群単位に設定している無信号区間ｔ１そのものがＧＡＰ区間Ｔ（隙間区間）として設定されるわけではない。すなわち、図４（Ｂ）に示すように、第１系統１００Ａと第２系統２００Ａとの間の遅延時間ｔ０も考慮に入れて、第１系統１００Ａ、第２系統２００ＡのいずれにもＭＭＴＰパケットを含むＴＬＶパケットが存在していない区間が、第１切替部５０１または第２切替部５０２において現用系・予備系の切替を行うための区間を示すＧＡＰ区間Ｔ（＝ｔ１−ｔ０）となる。
【００３６】
図４（Ｂ）に示すように、ＧＡＰ区間Ｔにおいては、第１系統１００Ａと第２系統２００Ａとのいずれにも、ＴＬＶパケット（言い換えると、放送信号（映像信号や音声信号）を含むＭＭＴＰパケット）が存在していないので、該ＧＡＰ区間Ｔにおいて第１系統１００Ａと第２系統２００Ａとの間の現用系・予備系の切替を実施すれば、放送信号の瞬断が生じないシームレスな切替を実現することができる。
【００３７】
また、図４（Ｂ）の場合とは異なり、第１系統１００Ａと第２系統２００Ａとのいずれかの機能部の何らかの不具合により、第１系統１００Ａと第２系統２００Ａとの間の遅延時間ｔ０が、第１エンコード部１０１、第２エンコード部２０１いずれかにおいて、無信号区間ｔ１を超えて大きくなった場合、あるいは、無信号区間ｔ１そのものが確保されていない状態になった場合には、第１系統１００Ａと第２系統２００ＡのいずれにもＭＭＴＰパケットを含むＴＬＶパケットが存在していないＧＡＰ区間Ｔを確保することができなくなるので、シームレスな切替を行うことができない状態になり、シームレス切替を失敗する事態に陥る。
【００３８】
（第１の事例）
本第１の事例は、図４のタイムチャートに示す場合とは異なり、図３の第１系統１００Ａ、第２系統２００Ａのいずれかの機能部の不具合により、第１系統１００Ａ、第２系統２００ＡのいずれにおいてもＭＭＴＰパケットを含むＴＬＶパケットが出力されなくなる区間すなわちＧＡＰ区間Ｔ（隙間区間）が存在していない場合である。
【００３９】
言い換えると、図３の第１系統１００Ａの第１エンコード部１０１や第１ＭＭＴ多重化部１０２、第２系統２００Ａの第２エンコード部２０１や第２ＭＭＴ多重化部２０２のいずれかの機能部の不具合により、第１系統１００Ａと第２系統２００Ａとの間のＭＭＴＰパケットの出力タイミングのずれを示す遅延時間ｔ０が大きくなり、第１ＭＭＴ多重化部１０２と第２ＭＭＴ多重化部２０２とのいずれからもＭＭＴＰパケットが出力されない状態になる区間すなわち無信号区間ｔ１が互いに重なり合う状態のＧＡＰ区間Ｔが存在していない場合である。かかる場合には、シームレスな切替を行うことができない状態に陥る。
【００４０】
（第２の事例）
前述した第１の事例に類似する事象であるが、本第２の事例は、何らかの要因により、図３の第１系統１００Ａ、第２系統２００Ａのうち切替先となる放送系統に、放送信号（ＭＭＴＰパケット）が出力されない状態の無信号区間ｔ１が存在していない場合である。その結果、図３の第１系統１００Ａ、第２系統２００ＡのいずれからもＭＭＴＰパケットを含むＴＬＶパケットが出力されなくなる区間すなわちＧＡＰ区間Ｔ（隙間区間）が存在しない状態になり、シームレスな切替を行うことができない状態に陥る。
【００４１】
例えば、今までの現用系が第１系統１００Ａであった場合であれば、今まで予備系になっている第２系統２００Ａが切替先となる放送系統である。ここで、何らかの要因により、切替先の第２系統２００Ａの第２ＭＭＴ多重化部２０２から出力されるＥＮＤフラグ付きのＭＭＴＰパケット２２とＳＴＡＲＴフラグ付きのＭＭＴＰパケット２１との間に無信号区間ｔ１が存在していないか、あるいは、ＥＮＤフラグ付きのＭＭＴＰパケット２２そのものが出力されない状態になった場合には、第２系統２００Ａへのシームレスな切替を行うことができない状態に陥る。
【００４２】
または、切替先の第２系統２００Ａの第２ＴＬＶ多重化部２０３から出力されるＥＮＤフラグ付きのＴＭＣＣ情報を有するＴＬＶパケット（ＭＭＴＰを含むＴＬＶパケット）２４とＳＴＡＲＴフラグ付きのＴＭＣＣ情報を有するＴＬＶパケット（ＭＭＴＰを含むＴＬＶパケット）２３との間に無信号区間ｔ１が存在していないか、あるいは、ＥＮＤフラグ付きのＴＭＣＣ情報を有するＭＭＴＰパケット（ＭＭＴＰを含むＴＬＶパケット）２４そのものが出力されない状態になった場合には、第２系統２００Ａへのシームレスな切替を行うことができない状態に陥る。
【００４３】
（第３の事例）
本第３の事例は、図３の第１系統１００Ａ、第２系統２００Ａのいずれかの機能部の不具合により、第１系統１００Ａ、第２系統２００Ａのいずれかから出力されるＭＭＴＰパケットに異常が発生している場合である。かかる異常が発生した場合、切替動作を実施すると放送信号（映像信号・音声信号）に定常的なノイズが混入してしまうか、あるいは、シームレスな切替を行うことができない状態に陥る。ここで、ＭＭＴＰパケットに発生した異常とは、放送信号（映像信号・音声信号）を再生するための制御パケット情報の矛盾または欠損があり、放送信号（映像信号・音声信号）にノイズや瞬断が生じることを意味する。
【００４４】
また、制御パケット情報の矛盾とは、例えば、該制御パケット情報の一つとして放送信号（映像信号・音声信号）の再生時間を指定するが、指定した再生時間が過去の時間を指定してしまっている場合や、該制御パケット情報の一つとして定義している放送信号（映像信号・音声信号）のＩＤと実際の放送信号（映像信号・音声信号）のＩＤとが異なっている場合等を指す。また、制御パケット情報の欠損とは、該当する制御パケットや該当する放送信号（映像信号・音声信号）・ＮＴＰ（Network  Time  Protocol）パケット等を、パケットロスにより消失している場合等を指す。
【００４５】
第１系統１００Ａの第１エンコード部１０１、第２系統２００Ａの第２エンコード部２０１それぞれから出力される符号化放送信号（映像信号・音声信号）に異常が発生していた場合には、それぞれの後段の第１ＭＭＴ多重化部１０２、第２ＭＭＴ多重化部２０２において、ＭＭＴ多重化処理を行うために、符号化放送信号（映像信号・音声信号）を再生するための制御パケットを再構築する処理を行う際に、処理対象の符号化放送信号の異常を検出することができる。
【００４６】
しかし、第１ＭＭＴ多重化部１０２、第２ＭＭＴ多重化部２０２それぞれの後段の第１ＴＬＶ多重化部１０３、第２ＴＬＶ多重化部２０３においては、前述したように、第１ＭＭＴ多重化部１０２、第２ＭＭＴ多重化部２０２それぞれから出力されてきたＭＭＴＰパケットに異常があったとしても、ＭＭＴＰパケットの異常を検出することはできない。何故ならば、第１ＴＬＶ多重化部１０３、第２ＴＬＶ多重化部２０３それぞれは、第１ＭＭＴ多重化部１０２、第２ＭＭＴ多重化部２０２それぞれから出力されてきたＭＭＴＰパケットをＴＬＶパケット化する機能部であることによる。つまり、第１ＴＬＶ多重化部１０３、第２ＴＬＶ多重化部２０３それぞれは、処理対象のＭＭＴＰパケットそれぞれが、ＭＭＴＰパケットフォーマットとして正常なフォーマットであれば、ＴＬＶパケット化することができるので、ＭＭＴＰパケットの内容に異常があるか否かを意識する必要がないからである。
【００４７】
（本発明の目的）
本発明は、以上のような問題に鑑みてなされたものであり、現用系と予備系との切替の実施に先立って、事前に、放送信号の瞬断が生じないシームレスな切替が可能であるか否かを検出することが可能な放送信号送信装置、放送系統シームレス切替可否検出方法および放送系統シームレス切替可否検出プログラムを提供することを、その目的としている。
【課題を解決するための手段】
【００４８】
前述の課題を解決するため、本発明による放送信号送信装置、放送系統シームレス切替可否検出方法および放送系統シームレス切替可否検出プログラムは、主に、次のような特徴的な構成を採用している。
【００４９】
（１）本発明による放送信号送信装置は、
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化手段と、
前記第１ＭＭＴ多重化手段から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコード手段と、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化手段と、
前記第２ＭＭＴ多重化手段から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコード手段と、
を有する、
ことを特徴とする。
【００５０】
（２）本発明による放送系統シームレス切替可否検出方法は、
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、現用系と予備系とのシームレスな切替が可能であるか否かを検出する放送系統シームレス切替可否検出方法であって、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化ステップと、
前記第１ＭＭＴ多重化ステップから出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコードステップと、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化ステップと、
前記第２ＭＭＴ多重化ステップから出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコードステップと、
を有する、
ことを特徴とする。
【００５１】
（３）本発明による放送系統シームレス切替可否検出プログラムは、
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、現用系と予備系とのシームレスな切替が可能であるか否かをコンピュータによって検出する放送系統シームレス切替可否検出プログラムであって、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化機能と、
前記第１ＭＭＴ多重化機能から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコード機能と、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化機能と、
前記第２ＭＭＴ多重化機能から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコード機能と、
を有する、
ことを特徴とする。
【発明の効果】
【００５２】
本発明の放送信号送信装置、放送系統シームレス切替可否検出方法および放送系統シームレス切替可否検出プログラムによれば、主に、以下のような効果を奏することができる。
【００５３】
すなわち、本発明においては、主信号であるＭＭＴＰパケットを解析する仕組みを有しているので、シームレス切替が可能であるか否かを、現用系・予備系の切替の実行に先立って、事前に、検出することができる。
【図面の簡単な説明】
【００５４】
【図１】本発明に係る放送信号送信装置の内部構成の一例を示すブロック構成図である。
【図２】図１に示す放送信号送信装置の第１デコード部および第２デコード部における動作の一例を説明するフローチャートである。
【図３】現状の技術における放送信号送信装置の内部構成の一例を示すブロック構成図である。
【図４】図３に示す放送信号送信装置における放送信号の出力タイミングを示すタイムチャートである。
【発明を実施するための形態】
【００５５】
以下、本発明による放送信号送信装置、放送系統シームレス切替可否検出方法および放送系統シームレス切替可否検出プログラムの好適な実施形態について添付図を参照して説明する。なお、以下の説明においては、本発明による放送信号送信装置および放送系統シームレス切替可否検出方法について説明するが、かかる放送系統シームレス切替可否検出方法をコンピュータにより実行可能な放送系統シームレス切替可否検出プログラムとして実施するようにしても良いし、あるいは、放送系統シームレス切替可否検出プログラムをコンピュータにより読み取り可能な記録媒体に記録するようにしても良いことは言うまでもない。また、以下の各図面に付した図面参照符号は、理解を助けるための一例として各要素に便宜上付記したものであり、本発明を図示の態様に限定することを意図するものではないことも言うまでもない。
【００５６】
（本発明の特徴）
本発明の実施形態の説明に先立って、本発明の特徴についてその概要をまず説明する。本発明は、ＭＭＴ（ＭＰＥＧ（Moving  Picture  Experts  Group）  Media  Transport）・ＴＬＶ（Type  Length  Value）方式を採用し、かつ、現用系と予備系との冗長構成の放送系統からなる放送信号送信装置において、現用系と予備系との切替の実施に先立って、事前に、放送信号（映像信号・音声信号）に瞬断が生じないシームレスな切替が可能であるか否かを検出する仕組みを有していることを主要な特徴としている。
【００５７】
而して、シームレスな切替が不可能な状態にあることを検出した際に、該放送信号送信装置にあらかじめ設定登録されているルールに従って、現用系と予備系との切替をキャンセルするか否かを自動的に決定することが可能になる。あるいは、シームレスな切替が不可能であるとの検出結果を当該放送信号送信装置の運用者に通知することにより、切替をキャンセルするか否かを該運用者からの指示により決定することも可能である。
【００５８】
さらに、シームレスな切替が不可能な状態になった要因の被疑範囲に関する情報を当該放送信号送信装置の運用者に対して通知する仕組みも有しているので、該運用者がシームレスな切替が不可能になっている被疑範囲を容易に特定することも可能である。
【００５９】
（本発明の実施形態の構成例の説明）
次に、本発明に係る放送信号送信装置の内部構成について、図１を参照しながら詳細に説明する。図１は、本発明に係る放送信号送信装置の内部構成の一例を示すブロック構成図である。図１に示す放送信号送信装置１は、ＭＭＴ・ＴＬＶ方式を適用して放送信号を送信する場合の装置構成例を示していて、現状の技術として図３に示した放送信号送信装置１Ａとほぼ同様の回路構成であり、第１系統１００と第２系統２００との２つの放送系統と、制御部３００と基準ＧＯＰ（Group  Of  Pictures）発生部４００と、第１切替部５０１、第２切替部５０２とフレーム同期信号発生部６００とを含んで構成されている。なお、制御部３００からの制御により、第１系統１００と第２系統２００との２つの放送系統のうち、いずれか１方が現用系の放送系統として使用され、他方が予備系として待機状態になる。
【００６０】
ここで、図１において、図３に示した放送信号送信装置１Ａと同じ符号を付した基準ＧＯＰ発生部４００、第１切替部５０１、第２切替部５０２、フレーム同期信号発生部６００は、いずれも、図３に示した放送信号送信装置１Ａの場合と全く同じ機能を有する機能部であり、ここでの重複する説明は割愛する。
【００６１】
また、第１系統１００は、図３に示した放送信号送信装置１Ａの第１系統１００Ａとは異なり、第１エンコード部１０１、第１ＭＭＴ多重化部１０２、第１ＴＬＶ多重化部１０３の他に、さらに第１デコード部１０４を少なくとも含んで構成される。また、第２系統２００も、第１系統１００の場合と同様に、図３に示した放送信号送信装置１Ａの第２系統２００Ａとは異なり、第２エンコード部２０１、第２ＭＭＴ多重化部２０２、第２ＴＬＶ多重化部２０３の他に、さらに第２デコード部２０４少なくとも含んで構成される。なお、第１系統１００、第２系統２００のそれぞれには、２Ｋ放送用等の低階層エンコード部、ＳＩ（Service  Information）送出装置、字幕送出装置等が含まれることもある。
【００６２】
ここで、図１の第１系統１００、第２系統２００において、図３に示した放送信号送信装置１Ａと同じ符号を付した第１エンコード部１０１、第２エンコード部２０１、第１ＭＭＴ多重化部１０２、第２ＭＭＴ多重化部２０２、第１ＴＬＶ多重化部１０３、第２ＴＬＶ多重化部２０３は、いずれも、図３に示した放送信号送信装置１Ａの場合と全く同じ機能を有する機能部であり、ここでの重複する説明は割愛する。
【００６３】
図１において新たに追加した第１系統１００の第１デコード部１０４は、第１ＭＭＴ多重化部１０２の出力側に、第１ＴＬＶ多重化部１０３と並列に接続されるとともに、相手側すなわち他方の放送系統である第２系統２００の第２デコード部２０４と交絡するように接続される。そして、第１デコード部１０４は、第１ＭＭＴ多重化部１０２にて多重化されたＭＭＴＰパケットの内容を解析したデコード結果を、相手側すなわち他方の放送系統である第２系統２００の第２デコード部２０４に出力するとともに、相手側の第２デコード部２０４からのデコード結果を受け取ることが可能である。なお、第１デコード部１０４は、基準ＧＯＰ発生部４００からの同期信号（ＧＯＰ同期信号・ＮＰＴ同期信号）に同期して動作する。
【００６４】
ここで、第１デコード部１０４は、デコード結果の一つとして、第１ＭＭＴ多重化部１０２から出力されてくる各ＭＭＴＰパケットを解析し、ＥＮＤフラグが付加されているＭＭＴＰパケットを検出したタイミングと、ＳＴＡＲＴフラグが付加されているＭＭＴＰパケットを検出したタイミングとに基づいて、自系の放送系統（第１系統１００）にＭＭＴＰパケットが存在しない状態になる開始タイミングと終了タイミングとに関する情報を抽出して、自系の放送系統（第１系統１００）の無信号区間ｔ１を示す情報として取得する。
【００６５】
同様に、図１において新たに追加した第２系統２００の第２デコード部２０４は、第２ＭＭＴ多重化部２０２の出力側に、第２ＴＬＶ多重化部２０３と並列に接続されるとともに、相手側すなわち他方の放送系統である第１系統１００の第１デコード部１０４と交絡するように接続される、そして、第２デコード部２０４は、第２ＭＭＴ多重化部２０２にて多重化されたＭＭＴＰパケットの内容を解析したデコード結果を、相手側すなわち他方の放送系統である第１系統１００の第１デコード部１０４に出力するとともに、相手側の第２デコード部２０４からのデコード結果を受け取る。なお、第２デコード部２０４も、第１デコード部１０４と同様、基準ＧＯＰ発生部４００からの同期信号（ＧＯＰ同期信号・ＮＰＴ同期信号）に同期して動作する。
【００６６】
ここで、第２デコード部２０４は、第１デコード部１０４と同様、デコード結果の一つとして、第２ＭＭＴ多重化部２０２から出力されてくる各ＭＭＴＰパケットを解析し、ＥＮＤフラグが付加されているＭＭＴＰパケットを検出したタイミングと、ＳＴＡＲＴフラグが付加されているＭＭＴＰパケットを検出したタイミングとに基づいて、自系の放送系統（第２系統２００）にＭＭＴＰパケットが存在しない状態になる開始タイミングと終了タイミングとに関する情報を抽出して、自系の放送系統（第２系統２００）の無信号区間ｔ１を示す情報として取得する。
【００６７】
第１デコード部１０４および第２デコード部２０４それぞれは、自系の放送系統の無信号区間ｔ１の情報を取得すると、前述したように、取得した自系の放送系統の無信号区間ｔ１の情報を、互いに、交換し合う。
【００６８】
そして、第１デコード部１０４および第２デコード部２０４それぞれは、自系の放送系統の無信号区間ｔ１を示す情報と、交換し合った相手側の放送系統における無信号区間ｔ１を示す情報とに基づいて、第１系統１００および第２系統２００のいずれにもＭＭＴＰパケットが存在していない状態になるＧＡＰ区間Ｔ（隙間区間）が確保されているか否かを判定し、ＧＡＰ区間Ｔが、確保されていないか、あるいは、確保されていても、あらかじめ定めた時間閾値未満の時間長であった場合には、現用系・予備系のシームレスな切替動作が不可能である旨のデコード結果を取得して、制御部３００の監視部３０１に対して出力する。
【００６９】
なお、制御部３００は、図３に示した放送信号送信装置１Ａの制御部３００Ａとは異なり、監視部３０１をさらに追加して実装している。監視部３０１は、当該放送信号送信装置１内の各機能部（第１エンコード部１０１、第２エンコード部２０１、第１ＴＬＶ多重化部１０３、第２ＴＬＶ多重化部２０３、第１デコード部１０４、第２デコード部２０４、第１切替部５０１、第２切替部５０２）において入出力する制御信号・データ信号の異常や各機能部の動作の異常を検出した際に、アラーム情報として収集する機能を有している。
【００７０】
さらに、監視部３０１は、第１デコード部１０４、第２デコード部２０４のいずれかから、現用系・予備系をシームレスに切り替えることが不可能な状態にある旨をデコード結果として受け取った場合、当該放送信号送信装置１にあらかじめ設定登録されているルールに従って、現用系・予備系の切替をキャンセル（中止）するか、あるいは、放送信号（映像信号・音声信号）の瞬断が生じても現用系・予備系の切替を強制的に実行するか、あるいは、当該放送信号送信装置１の運用者に対して現用系・予備系の切替動作の実施に関する指示を求める情報を出力するか、のいずれかを選択する。
【００７１】
ここで、監視部３０１が、当該放送信号送信装置１の運用者に対して現用系・予備系の切替動作の実施に関する指示を求める情報を出力する場合、該運用者からの指示を受け取った監視部３０１からの情報に基づいて動作する制御部３００の切替制御部は、該運用者からの指示に従って、現用系・予備系の切替動作をキャンセルするか、あるいは、強制的に現用系・予備系の切替動作を実行する。なお、第１デコード部１０４および第２デコード部２０４それぞれは、現用系・予備系のシームレスな切替動作が不可能である旨のデコード結果を出力する際に、該シームレスな切替動作が不可能になる要因に関する被疑範囲を示す情報を各ＭＭＴＰパケットの解析結果に基づいて取得して出力することが可能である。したがって、監視部３０１が運用者に対して現用系・予備系の切替動作の実施に関する指示を求める情報を出力する際に、シームレス切替動作が不可能になる要因に関する被疑範囲の情報も出力して、該運用者に対して該被疑範囲の情報を提供するように動作する。
【００７２】
以上のような構成を採用することにより、図１に示す放送信号送信装置１は、第１ＭＭＴ多重化部１０２、第２ＭＭＴ多重化部２０２それぞれから出力されるＭＭＴＰパケットの情報を第１デコード部１０４、第２デコード部２０４それぞれに取り込んで、ＭＭＴレイヤ情報の解析を確実に行うことを可能にするとともに、現用系と予備系との切替を実行しようとする際に、放送信号送信装置１内の機能部の不具合等や制御ミス等により、映像信号や音声信号に瞬断が発生するか否か、すなわち、シームレスな切替が可能であるか否かを、事前に判定することが可能である。
【００７３】
（本発明の実施形態の動作例の説明）
次に、本発明の一実施形態として図１に示した放送信号送信装置１の動作について、その一例を、図２のフローチャートを参照しながら詳細に説明する。図２は、図１に示す放送信号送信装置１の第１デコード部１０４および第２デコード部２０４における動作の一例を説明するフローチャートであり、ＭＭＴＰパケットの情報（すなわちＭＭＴレイヤレベルの情報）の解析結果に基づいて、シームレスな切替動作が可能であるか否かを判定する動作の一例について示している。なお、以下の説明においては、説明の煩雑さを避けるために、図１の放送信号送信装置１の第１系統１００に設置されている第１デコード部１０４における動作を説明することにするが、第２系統２００の第２デコード部２０４においても全く同様の動作を行っていることは言うまでもない。
【００７４】
図２のフローチャートに一例を示すように、放送系統の現用系と予備系との切替動作を実行する動作に先立って、第１系統１００の第１デコード部１０４および第２系統２００の第２デコード部２０４は、それぞれ、自系の放送系用の第１ＭＭＴ多重化部１０２、第２ＭＭＴ多重化部２０２それぞれから出力されたＭＭＴＰパケットを解析する動作を行っている。図２のフローチャートにおいて、例えば、第１系統１００の第１デコード部１０４が、第１ＭＭＴ多重化部１０２から出力されたＭＭＴＰパケットを受信すると（ステップＳ１）、まず、受け取ったＭＭＴＰパケットが正常な状態にあるか否かを確認する（ステップＳ２）。該ＭＭＴＰパケットが何らかの要因で異常な状態になっていることを検知すると（ステップＳ２のＮＯ）、シームレスな切替動作を実行することができない状態にあると判断して、ステップＳ１１に移行する。
【００７５】
一方、受け取ったＭＭＴＰパケットが正常な状態であることを確認すると（ステップＳ２のＹＥＳ）、該ＭＭＴＰパケットを解析して、該ＭＭＴＰパケットに含まれているＥＮＤフラグおよびＳＴＡＲＴフラグを検出する動作を行う（ステップＳ３）。そして、ＥＮＤフラグが付与されたＭＭＴＰパケットを検出すると、その検出タイミングを、自系の放送系統（第１系統１００）にあらかじめ定めた時間長の間ＭＭＴＰパケットが存在しなくなる状態の無信号区間ｔ１が始まる開始タイミングとして保存する。
【００７６】
しかる後、後続するＭＭＴＰパケットとしてＳＴＡＲＴフラグが付与されたＭＭＴＰパケットを検出するまで、ステップＳ２〜ステップＳ３までの動作を繰り返す。そして、ＥＮＤフラグが付与されたＭＭＴＰパケットを検出した後、後続するＭＭＴＰパケットとしてＳＴＡＲＴフラグが付与されたＭＭＴＰパケットを検出すると、無信号区間ｔ１が終了した終了タイミングとして取得する。そして、ＳＴＡＲＴフラグ付きのＭＭＴＰパケットを検出したタイミング（終了タイミング）と、保存していたＥＮＤフラグ付きのＭＭＴＰパケットの検出タイミング（開始タイミング）との差を、自系の放送系統（第１系統１００）の無信号区間ｔ１の時間長として取得する（ステップＳ４）。
【００７７】
しかる後、取得した自系の放送系統（第１系統１００）の無信号区間ｔ１の情報（開始タイミングすなわちＥＮＤフラグ検出タイミング、終了タイミングすなわちＳＴＡＲＴフラグ検出タイミング、無信号区間ｔ１の時間長）を、他系の放送系統（第２系統２００）の第２デコード部２０４に対して送出する（ステップＳ５）。さらに、他系の放送系統（第２系統２００）の第２デコード部２０４から送出されてきた他系の放送系統（第２系統２００）の無信号区間ｔ１の情報（（開始タイミングすなわちＥＮＤフラグ検出タイミング、終了タイミングすなわちＳＴＡＲＴフラグ検出タイミング、無信号区間ｔ１の時間長）を受信する（ステップＳ６）。ここで、自系の放送系統（第１系統１００）の第１デコード部１０４および他系の放送系統（第２系統２００）である第２デコード部２０４それぞれのデコード結果である無信号区間ｔ１の情報を互いに通知し合うタイミングは、基準ＧＯＰ発生部４００から出力される同期信号（ＧＯＰ同期信号・ＮＴＰ同期信号）に同期している。
【００７８】
そして、第１デコード部１０４は、取得した自系の放送系統（第１系統１００）の無信号区間ｔ１の情報と他系の放送系統（第２系統２００）のデコーダ部（第２デコード部２０４）から受信した他系の放送系統（第２系統２００）の無信号区間ｔ１の情報とに基づいて、第１系統１００、第２系統２００とのいずれにも、ＭＭＴＰパケットが存在していない区間であるＧＡＰ区間Ｔ（隙間区間）を算出する（ステップＳ７）。
【００７９】
しかる後、算出したＧＡＰ区間Ｔが、第１系統１００、第２系統２００とのいずれにも、ＭＭＴＰパケットが存在していない区間を示す値として有効な情報として算出されているか否かを確認する（ステップＳ８）。ＧＡＰ区間Ｔが有効な情報として算出されていない（すなわち、ＧＡＰ区間Ｔが存在していない）と判定した場合には（ステップＳ８のＮＯ）、シームレスな切替動作を実行することができない状態にあると判断して、ステップＳ１１に移行する。
【００８０】
また、ＧＡＰ区間Ｔが有効な情報として算出されていると判定した場合には（ステップＳ８のＹＥＳ）、算出されたＧＡＰ区間Ｔが、シームレスな切替動作を実行するために必要とする時間閾値としてあらかじめ設定されている時間長以上の値になっているか否かを確認する（ステップＳ９）。
【００８１】
算出されたＧＡＰ区間Ｔが該時間閾値以上に長い場合には（ステップＳ９のＹＥＳ）、放送信号（映像信号・音声信号）に瞬断が生じないシームレスな切替動作を実行することが可能であると判断して、その旨を、制御部３００の監視部３０１に対して通知する（ステップＳ１０）。監視部３０１は、第１デコード部１０４および第２デコード部２０４の双方から、シームレスな切替動作が可能である旨の通知を受け取ると、さらに、他の機能部からもシームレスな切替動作を阻害する状況が生じていないことを確認して、現用系・予備系の切替を要求する旨を制御部３００の切替制御部に通知する。制御部３００の切替制御部は、現用系と予備系との切替動作を、第１切替部５０１、第２切替部５０２のうち、現在使用している切替部に対して指示する。
【００８２】
これに対して、ステップＳ９において、算出されたＧＡＰ区間Ｔが前記時間閾値未満の時間長であった場合には（ステップＳ９のＮＯ）、シームレスな切替動作を実行することができない状態にあると判断して、ステップＳ１１に移行する。
【００８３】
ステップＳ１１においては、シームレスな切替動作が不可能である旨を、シームレスな切替が不可能になった要因が含まれている被疑範囲に関する情報とともに、制御部３００の監視部３０１に対して通知する（ステップＳ１１）。監視部３０１は、第１デコード部１０４および第２デコード部２０４のいずれか一方または双方から、シームレスな切替動作が不可能である旨の通知を受け取ると、その旨を、制御部３００の切替制御部に通知する。さらに、監視部３０１は、シームレスな切替が不可能になった要因が含まれている被疑範囲に関する情報を当該放送信号送信装置１の運用者に対して出力する。
【００８４】
制御部３００の切替制御部は、シームレスな切替動作が不可能である場合には、当該放送信号送信装置１にあらかじめ設定登録されているルールを参照して、該ルールに従って、現用系・予備系の切替動作をキャンセル（中止）するか、シームレス切替ができなくても強制的に切替動作を実行するか、あるいは、当該放送信号送信装置１の運用者の判断に従った動作を行うか、のいずれかを選択する。なお、当該放送信号送信装置１の運用者の判断に従う場合には、シームレスな切替が不可能である旨を示す情報とともに、現用系・予備系の切替動作のキャンセルまたは実行のいずれを実施するかを問い合わせるメッセージを、当該放送信号送信装置１の運用者に対して出力する。該メッセージを確認した運用者は、シームレスな切替が不可能になった要因が含まれている被疑範囲に関する情報を参照して、現用系・予備系の切替動作をキャンセル（中止）するか否かを判断し、判断した結果を制御部３００の切替制御部に対して指示する。
【００８５】
（具体的な事例に対する対応）
次に、前述の［発明が解決しようとする課題］において、現状の技術に関し、ＭＭＴレイヤの情報に起因するシームレス切替失敗が発生する具体的な事例として説明した第１の事例〜第３の事例の各事例に対して、図１に示した放送信号送信装置１が如何なる対応を行うことになるかという対応例についてその一例を説明する。
【００８６】
（第１の事例に対する対応例）
前述の第１の事例は、現状の技術においては、何らかの要因により、第１系統１００Ａ、第２系統２００ＡのいずれからもＭＭＴＰパケットが出力されなくなる区間すなわちＧＡＰ区間Ｔ（隙間区間）が存在していない状態であるにも関わらず、かかる状態を検出することができないため、現用系と予備系との切替を実施してしまい、シームレスな切替に失敗してしまう可能性がある場合について説明した。
【００８７】
本発明の一実施形態として図１に示す放送信号送信装置１においては、第１系統１００の第１ＭＭＴ多重化部１０２から出力されるＭＭＴＰパケットの内容を解析した結果をデコード結果として出力する第１デコード部１０４と、第２系統２００の第２ＭＭＴ多重化部２０２から出力されるＭＭＴＰパケットの内容を解析した結果をデコード結果として出力する第２デコード部２０４とを備え、第１デコード部１０４および第２デコード部２０４それぞれのデコード結果を互いに通知し合う構成としている。
【００８８】
そして、第１デコード部１０４および第２デコード部２０４それぞれは、第１系統１００側および第２系統２００側の双方において取得されたＭＭＴＰパケットのＥＮＤフラグ、ＳＴＡＲＴフラグの検出タイミングに基づいて、第１系統１００、第２系統２００のいずれにもＭＭＴＰパケットが存在しない区間すなわちＧＡＰ区間Ｔが確保されているか否かを解析し、解析した結果をデコード結果として出力することが可能である。
【００８９】
そして、第１デコード部１０４および第２デコード部２０４それぞれは、該デコード結果として、ＧＡＰ区間Ｔを有効な情報として確保することができていないか、あるいは、ＧＡＰ区間Ｔが有効な情報として存在していても、現用系・予備系のシームレス切替処理時間としてあらかじめ定めた時間閾値以上の十分なマージンを確保することができていなかった場合には、シームレスな切替動作を実施することが不可能であるとのアラーム情報を作成して、制御部３００の監視部３０１に対して通知することができる。而して、放送系統の現用系・予備系の切替動作の実行に先立って、事前に、切替動作を実行するか否かを選択することができる。
【００９０】
（第２の事例に対する対応例）
前述の第２の事例は、現状の技術においては、何らかの要因により、第１系統１００Ａ、第２系統２００Ａのうち切替先となる放送系統に、ＭＭＴＰパケットが出力されない状態の無信号区間ｔ１が存在していないにも関わらず、かかる状態を検出することができないため、現用系と予備系との切替を実施してしまい、シームレスな切替に失敗してしまう可能性がある場合について説明した。
【００９１】
本発明の一実施形態として図１に示す放送信号送信装置１においては、第１の事例に対する対応例として前述したように、第１デコード部１０４および第２デコード部２０４それぞれのデコード結果を互いに通知し合う構成としている。
【００９２】
したがって、第１デコード部１０４および第２デコード部２０４それぞれは、切替先の放送系統のＭＭＴＰパケットに付与されているＥＮＤフラグ、ＳＴＡＲＴフラグのタイミングに基づいて、切替先の放送系統において放送信号（ＭＭＴＰパケット）が出力されない状態の無信号区間ｔ１が存在していない状態になっていて、第１系統１００、第２系統２００のいずれにもＭＭＴＰパケットが存在しない区間すなわちＧＡＰ区間Ｔを確保することができないことをデコード結果として取得することが可能である。
【００９３】
そして、第１デコード部１０４および第２デコード部２０４それぞれは、該デコード結果として、切替先の放送系統に無信号区間ｔ１が存在していなく、ＧＡＰ区間Ｔを確保することができない場合には、切替先の放送系統へのシームレスな切替動作を実施することが不可能であるとのアラーム情報を作成して、制御部３００の監視部３０１に対して通知することができる。而して、放送系統の現用系・予備系の切替動作の実行に先立って、事前に、切替動作を実行するか否かを選択することができる。
【００９４】
（第３の事例に対する対応例）
前述の第３の事例は、現状の技術においては、何らかの要因により、第１系統１００Ａ、第２系統２００Ａから出力されるＭＭＴＰパケットに異常が発生しているにも関わらず、第１ＴＬＶ多重化部１０３、第２ＴＬＶ多重化部２０３においてかかる状態を検出することができないため、現用系と予備系との切替を実施してしまい、シームレスな切替に失敗してしまう可能性がある場合について説明した。
【００９５】
本発明の一実施形態として図１に示す放送信号送信装置１においては、第１デコード部１０４および第２デコード部２０４は、それぞれ、第１系統１００の第１ＭＭＴ多重化部１０２および第２系統２００の第２ＭＭＴ多重化部２０２それぞれから出力されるＭＭＴＰパケットの内容を解析して、ＭＭＴＰパケットが正常であるか否か（言い換えると、異常が発生していないか否か）をデコード結果として出力する。
【００９６】
そして、第１デコード部１０４および第２デコード部２０４それぞれは、該デコード結果として、ＭＭＴＰパケットに異常が発生していた場合には、シームレスな切替動作を実施することが不可能であるとのアラーム情報を作成して、制御部３００の監視部３０１に対して通知することができる。而して、放送系統の現用系・予備系の切替動作の実行に先立って、事前に、切替動作を実行するか否かを選択することができる。
【００９７】
（実施形態の効果の説明） 
以上に詳細に説明したように、本実施形態においては、以下のような効果を得ることができる。
【００９８】
すなわち、本実施形態においては、主信号であるＭＭＴＰパケットを解析する仕組みを有しているので、現状の技術において検出することができないシームレス切替の可否を、現用系・予備系の切替の実行に先立って、事前に、検出することができ、かつ、シームレス切替が不可能な場合には、不可能になる要因の被疑範囲を特定することが可能である。
【００９９】
また、シームレス切替が不可能なことを事前に検出した場合には、現用系・予備系の切替の実行をキャンセルするか、あるいは、放送信号（映像信号・音声信号）の瞬断が発生しても強制的に切替を実行するかを、あらかじめ事前に放送信号送信装置１に設定しているルールに基づいて、あるいは、当該放送信号送信装置１の運用者からの指示に基づいて、決定することができる。
【０１００】
以上、本発明の好適な実施形態の構成を説明した。しかし、かかる実施形態は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【０１０１】
１        放送信号送信装置
１Ａ      放送信号送信装置
１１      ＳＴＡＲＴフラグ付きのＭＭＴＰパケット
１２      ＥＮＤフラグ付きのＭＭＴＰパケット
１３      ＳＴＡＲＴフラグ付きのＴＭＣＣ情報を有するＴＬＶパケット
１４      ＥＮＤフラグ付きのＴＭＣＣ情報を有するＴＬＶパケット
２１      ＳＴＡＲＴフラグ付きのＭＭＴＰパケット
２２      ＥＮＤフラグ付きのＭＭＴＰパケット
２３      ＳＴＡＲＴフラグ付きのＴＭＣＣ情報を有するＴＬＶパケット
２４      ＥＮＤフラグ付きのＴＭＣＣ情報を有するＴＬＶパケット
１００    第１系統
１００Ａ  第１系統
１０１    第１エンコード部
１０２    第１ＭＭＴ多重化部
１０３    第１ＴＬＶ多重化部
１０４    第１デコード部
２００    第２系統
２００Ａ  第２系統
２０１    第２エンコード部
２０２    第２ＭＭＴ多重化部
２０３    第２ＴＬＶ多重化部
２０４    第２デコード部
３００    制御部
３００Ａ  制御部
３０１    監視部
４００    基準ＧＯＰ（Group  Of  Pictures）発生部
５０１    第１切替部
５０２    第２切替部
６００    フレーム同期信号発生部
ｔ０       遅延時間
ｔ１       無信号区間
Ｔ        ＧＡＰ区間（隙間区間）
【図１】
2020198544.tif 000003
【図２】
2020198544.tif 000004
【図３】
2020198544.tif 000005
【図４】
2020198544.tif 000006
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化手段と、
前記第１ＭＭＴ多重化手段から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコード手段と、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化手段と、
前記第２ＭＭＴ多重化手段から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコード手段と、
を有し、
前記第１デコード手段および前記第２デコード手段それぞれは、
取得した自系の放送系統の前記無信号区間の情報を、互いに、交換し合い、自系の放送系統の前記無信号区間の情報と、交換し合った相手側の放送系統における前記無信号区間の情報とに基づいて、前記第１系統および前記第２系統のいずれにも、前記ＭＭＴＰパケットが存在していない状態になるＧＡＰ区間（隙間区間）が確保されているか否かを判定する、
ことを特徴とする放送信号送信装置。
【請求項２】
前記第１デコード手段および前記第２デコード手段それぞれは、
前記ＧＡＰ区間が、確保されていないか、あるいは、確保されていても、あらかじめ定めた時間閾値未満の時間長であった場合には、現用系・予備系のシームレスな切替動作が不可能である旨のデコード結果を出力する、
ことを特徴とする請求項１に記載の放送信号送信装置。
【請求項３】
前記第１デコード手段は、
前記第１ＭＭＴ多重化手段から出力されてくる各前記ＭＭＴＰパケットを解析して、前記ＭＭＴＰパケットの異常状態を検出した際に、現用系・予備系のシームレスな切替動作が不可能である旨のデコード結果を出力し、
また、前記第２デコード手段は、
前記第１ＭＭＴ多重化手段から出力されてくる各前記ＭＭＴＰパケットを解析して、前記ＭＭＴＰパケットの異常状態を検出した際に、現用系・予備系のシームレスな切替動作が不可能である旨のデコード結果を出力する、
ことを特徴とする請求項１または２に記載の放送信号送信装置。
【請求項４】
前記第１デコード手段および前記第２デコード手段それぞれは、
現用系・予備系のシームレスな切替動作が不可能である旨のデコード結果を出力する際に、該シームレスな切替動作が不可能になる要因に関する被疑範囲を示す情報を各前記ＭＭＴＰパケットの解析結果に基づいて取得して出力する、
ことを特徴とする請求項１ないし３のいずれかに記載の放送信号送信装置。
【請求項５】
前記第１デコード手段、前記第２デコード手段のいずれかが現用系・予備系のシームレスな切替動作が不可能である旨のデコード結果を出力した際に、
あらかじめ設定登録されているルールに従って、現用系・予備系の切替動作をキャンセルするか、あるいは、シームレスな切替が不可能であっても強制的に現用系・予備系の切替動作を実行するか、あるいは、自放送信号送信装置の運用者に対して現用系・予備系の切替動作の実施に関する指示を求める情報を出力するか、のいずれかを選択する、
ことを特徴とする請求項１ないし４のいずれかに記載の放送信号送信装置。
【請求項６】
現用系・予備系の切替動作の実施に関する指示を求める情報を、自放送信号送信装置の運用者に対して出力した場合、
該運用者からの指示に従って、現用系・予備系の切替動作をキャンセルするか、あるいは、強制的に現用系・予備系の切替動作を実行する、
ことを特徴とする請求項５に記載の放送信号送信装置。
【請求項７】
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、現用系と予備系とのシームレスな切替が可能であるか否かを検出する放送系統シームレス切替可否検出方法であって、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化ステップと、
前記第１ＭＭＴ多重化ステップから出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコードステップと、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化ステップと、
前記第２ＭＭＴ多重化ステップから出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコードステップと、
を有し、
前記第１デコードステップおよび前記第２デコードステップそれぞれは、
取得した自系の放送系統の前記無信号区間の情報を、互いに、交換し合い、自系の放送系統の前記無信号区間の情報と、交換し合った相手側の放送系統における前記無信号区間の情報とに基づいて、前記第１系統および前記第２系統のいずれにも、前記ＭＭＴＰパケットが存在していない状態になるＧＡＰ区間（隙間区間）が確保されているか否かを判定する、
ことを特徴とする放送系統シームレス切替可否検出方法。
【請求項８】
ＡＲＩＢ（Association  of  Radio  Industries  and  Business）の標準規格として規定されているＭＭＴ（ＭＰＥＧ（Moving  Picture  Experts  Group）  Media  Transport）・ＴＬＶ（Type  Length  Value）方式を適用し、かつ、放送信号を送信するための放送系統として第１系統および第２系統の２つの放送系統からなる冗長構成を有する構成からなり、いずれか一方の放送系統を現用系として選択し、他方の放送系統を予備系に設定する放送信号送信装置において、現用系と予備系とのシームレスな切替が可能であるか否かをコンピュータによって検出する放送系統シームレス切替可否検出プログラムであって、
前記第１系統は、
符号化された前記放送信号にＭＭＴ（ＭＰＥＧ  Media  Transport）多重化処理を実施し、多重化されたＭＭＴＰパケットを生成して出力する第１ＭＭＴ多重化機能と、
前記第１ＭＭＴ多重化機能から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第１デコード機能と、
を有し、
前記第２系統は、
符号化された前記放送信号にＭＭＴ（ＭＰＥＧ  Media  Transport）多重化処理を実施し、多重化されたＭＭＴＰパケットを生成して出力する第２ＭＭＴ多重化機能と、
前記第２ＭＭＴ多重化機能から出力されてくる各前記ＭＭＴＰパケットを解析し、自系の放送系統に前記ＭＭＴＰパケットが存在しない状態になる開始タイミングと終了タイミングとに関する情報を抽出して自系の放送系統の無信号区間の情報として取得する第２デコード機能と、
を有し、
前記第１デコード機能および前記第２デコード機能それぞれは、
取得した自系の放送系統の前記無信号区間の情報を、互いに、交換し合い、自系の放送系統の前記無信号区間の情報と、交換し合った相手側の放送系統における前記無信号区間の情報とに基づいて、前記第１系統および前記第２系統のいずれにも、前記ＭＭＴＰパケットが存在していない状態になるＧＡＰ区間（隙間区間）が確保されているか否かを判定する、
ことを特徴とする放送系統シームレス切替可否検出プログラム。